(57)【要約】【課題】複数の電子ペーパーに対して１つの駆動装置でその情報書き換えを可能にし、さらに、電子ペーパーだけを自由に持ち運ぶことができるようにし、表示メモリー性を十分に発揮できる電子ペーパーと電子ペーパーに表示させる情報を書き換える駆動装置とで構成する情報表示システムを提供する。【解決手段】表示メモリー性を有する情報表示用パネル１２と、情報表示用パネルに印加する駆動電圧を制御するドライバーＩＣ１３と、シリアル信号をパラレル信号に変換するシリアル−パラレル変換手段１５と、外部装置からの信号を受け取る接続用端子コネクター１６とを含み、シリアル−パラレル変換手段が、外部装置からのシリアル信号をパラレル信号に変換し、変換したパラレル信号をドライバーＩＣに伝達するよう、電子ペーパー１１を構成する。【選択図】図４
2011237644.tif 000002
【特許請求の範囲】
【請求項１】
表示メモリー性を有する情報表示用パネルと、前記情報表示用パネルに印加する駆動電圧を制御するドライバーＩＣと、シリアル信号をパラレル信号に変換するシリアル−パラレル変換手段と、外部装置からの信号を受け取る接続用端子コネクターとを含み、前記シリアル−パラレル変換手段が、前記外部装置からのシリアル信号をパラレル信号に変換し、変換したパラレル信号を前記ドライバーＩＣに伝達するよう構成したことを特徴とする電子ペーパー。
【請求項２】
前記情報表示用パネルが、帯電性粒子を含んだ粒子群として構成した表示媒体を、パネル基板間の空間に配置し、前記ドライバーＩＣで制御された駆動電圧が形成する電界に従って表示媒体を移動させて情報を表示することを特徴とする請求項１に記載の電子ペーパー。
【請求項３】
請求項１または２に記載の電子ペーパーと、少なくともパラレル−シリアル変換手段およびそのシリアル信号の出口となる電子ペーパーとの接続用端子およびＣＰＵおよびメモリーおよび電源供給手段を備える駆動装置とで構成され、前記駆動装置のパラレル−シリアル変換手段が出力するシリアル信号を伝達する信号線を含んだ前記電子ペーパーとの接続用端子に、前記電子ペーパーの接続用端子コネクターを装着して前記電子ペーパーの情報表示用パネルを駆動するように構成したことを特徴とする情報表示システム。
【発明の詳細な説明】
【技術分野】
【０００１】
本発明は、情報を表示するために用いられる電子ペーパーおよびその電子ペーパーを駆動装置に装着して電子ペーパーに表示する情報を書き換える情報表示システムに関するものである。
【背景技術】
【０００２】
従来、２枚の基板間に表示メモリー性のある表示媒体を封入し、この表示媒体を駆動させて画像等の情報を表示する情報表示装置が知られている（例えば、特許文献１参照）。この情報表示装置は、表示媒体を封入したパネル構造体である情報表示用パネルと、駆動用のドライバーＩＣ、ＣＰＵ、メモリー、電源といった要素が全て一体になったものであった。
【先行技術文献】
【特許文献】
【０００３】
【特許文献１】特開２００７−１４８３０２号公報
【発明の概要】
【発明が解決しようとする課題】
【０００４】
上述した従来の情報表示装置（情報表示システムともいえる）では、情報表示装置と駆動装置とが一体であるため、当該情報表示装置が搭載している駆動装置は、専ら、当該情報表示装置が搭載している情報表示用パネルの情報を書き換えるだけであり、言い換えれば、１つの駆動装置で複数の情報表示用パネルの情報を書き換えることができなかった。また、情報表示装置と駆動装置とを取り外し可能に構成しようとする試みもあったが、情報表示用パネルの表示画素に延びる多数の電極との電気的接続が必要であり、情報表示装置を駆動装置に一度接続した後取り外し、再度接続することは現実的には困難であった。
【０００５】
本発明の目的は上述した問題点を解消して、従来は一体となっていた情報表示装置（情報表示システムともいえる）を、情報表示器（電子ペーパーともいう）と駆動装置とに分けるとともに、その装着時に必要な多数の電極との電気的接続を問題なく行える着脱自在な構成とし、その結果、複数の電子ペーパーに対して１つの駆動装置でその情報書き換えを可能にし、さらに、電子ペーパーだけを自由に持ち運ぶことができるようにし、表示メモリー性を十分に発揮できる電子ペーパーと電子ペーパーに表示させる情報を書き換える駆動装置とで構成する情報表示システムを構成しようとするものである。
【課題を解決するための手段】
【０００６】
本発明の電子ペーパーは、表示メモリー性を有する情報表示用パネルと、情報表示用パネルに印加する駆動電圧を制御するドライバーＩＣと、シリアル信号をパラレル信号に変換するシリアル−パラレル変換手段と、外部装置からの信号を受け取る接続用端子コネクターとを含み、シリアル−パラレル変換手段が、外部装置からのシリアル信号をパラレル信号に変換し、変換したパラレル信号をドライバーＩＣに伝達するよう構成したことを特徴とするものである。
【０００７】
また、本発明の電子ペーパーの好適例としては、情報表示用パネルが、帯電性粒子を含んだ粒子群として構成した表示媒体を、パネル基板間の空間に配置し、ドライバーＩＣで制御された駆動電圧が形成する電界に従って表示媒体を移動させて情報を表示すること、がある。
【０００８】
さらに、本発明の情報表示システムは、電子ペーパーと、少なくともパラレル−シリアル変換手段およびそのシリアル信号の出口となる電子ペーパーとの接続用端子およびＣＰＵおよびメモリーおよび電源供給手段を備える駆動装置とで構成され、駆動装置のパラレル−シリアル変換手段が出力するシリアル信号を伝達する信号線をを含んだ電子ペーパーとの接続用端子に、電子ペーパーの接続用端子コネクターを装着して電子ペーパーの情報表示用パネルを駆動するように構成したことを特徴とするものである。
【０００９】
なお、本発明において、「パラレル−シリアル変換」は、２ｂｉｔ以上同期して伝達されるデジタル信号に対して、時間軸上に同期データを分散させることによって同期して伝送するデータのｂｉｔ数を減らすことを目的として実施され、伝送線路の数が減少するなどのメリットがある。また、「シリアル−パラレル変換」とは、パラレル−シリアル変換の逆変換を意味する。さらに、「パラレル信号」とは、２ｂｉｔ以上同期して伝送されるデジタル信号を意味し、「シリアル信号」とは、パラレル−シリアル変換によって変換されたデジタル信号を意味する。
【発明の効果】
【００１０】
本発明の情報表示システムによれば、情報表示装置（情報表示システムともいえる）における表示側ユニットと、駆動側ユニットとをそれぞれ電子ペーパーと駆動装置として切り離し、それぞれを端子コネクターを用いて接続して電子ペーパーに情報を表示するようにしたので、表示した情報を書き換えるときに電子ペーパーを駆動装置と接続して、電子ペーパーが搭載している情報表示用パネルを駆動してその表示情報を書き換え、その後、表示メモリー性を利用して表示させた情報を維持させた状態で、電子ペーパーを駆動装置から取り外すことができる。また、電子ペーパーに、シリアル信号をパラレル信号に変換するシリアル−パラレル変換手段を搭載し、駆動装置から電子ペーパーに送る信号をシリアル信号とするようにしたので、電子ペーパーと駆動装置との電気的接続において多数の電極を接続する点が、少数の電極を接続するだけで済むようになり、電子ペーパーを駆動装置に、自在に着脱できるようになった。したがって、１つの駆動装置に接続可能な電子ペーパーを複数用いて、１つの駆動装置に、複数の電子ペーパーを、順次、接続して情報を表示させた後、情報を表示させた状態で取り外す作業を実施して、１つの駆動装置で、複数の電子ペーパーへの情報表示ができ、しかも、この複数の電子ペーパーに表示させた情報はそのまま次に書き換えるまでそのまま保持されるので、電子ペーパーだけを持ち運ぶことができるようになった。
【００１１】
また、本発明の情報表示システムによれば、駆動装置に通信手段を搭載した構成にすることによって、駆動装置が受信した情報を、この駆動装置に接続した電子ペーパーに表示することができる。したがって、この通信手段を有する駆動装置を、携帯電話機のような携帯型端末機とすれば、駆動装置と電子ペーパーとを合わせて携帯することができ、見たい情報、読みたい情報をこの携帯型駆動装置に接続した電子ペーパーに表示させることができる。携帯電話機のように本体に表示画面を有する携帯型端末機においては、本発明の電子ペーパーを第２の表示画面として用いることもでき、そして、その場合、情報が見やすい大画面を提供する電子ペーパーとすることもできる。
【００１２】
本発明の電子ペーパーによれば、表示メモリー性を有する表示媒体を用いた情報表示用パネル、シリアル信号をパラレル信号に変換するシリアル−パラレル変換手段および駆動装置との接続端子コネクターを搭載しているので、駆動装置に装着して、駆動装置からシリアル信号で受け取った情報をパラレル信号に変換して、情報表示用パネルに表示させることができる。そして、情報を表示させた後、情報を表示させた状態で駆動装置から取り外して、表示させた情報をそのまま保持した電子ペーパーを持ち運ぶことができる。そして、情報表示用パネルに用いる表示メモリー性を有する表示媒体を、帯電性粒子を含んだ粒子群とし、情報表示用パネルが、パネル基板間に配置した粒子群に電界を付与して、粒子群を移動させて情報を表示するように構成した場合には、表示メモリー性をより効果的に発揮させることができる。
【図面の簡単な説明】
【００１３】
【図１】（ａ）、（ｂ）はそれぞれ本発明の電子ペーパーで用いる表示メモリー性のある表示媒体として帯電性粒子を含んだ粒子群を用いた情報表示用パネルの一例を説明するための図である。
【図２】（ａ）、（ｂ）はそれぞれ本発明の電子ペーパーで用いる表示メモリー性のある表示媒体として帯電性粒子を含んだ粒子群を用いた情報表示用パネルの他の例を説明するための図である。
【図３】本発明の電子ペーパーの一例を説明するための図である。
【図４】図３に示す本発明の電子ペーパーの一例を説明するためのブロック図である。
【図５】本発明の情報表示システムの一例を説明するためのブロック図である。
【図６】本発明の情報表示システムの他の例を説明するためのブロック図である。
【発明を実施するための形態】
【００１４】
＜本発明の電子ペーパーを構成する情報表示用パネルについて＞
まず、本発明の情報表示システムで用いる電子ペーパーを構成する情報表示用パネルのうち、帯電性粒子を含んだ粒子群を表示媒体として用いる情報表示用パネルの一例について説明する。上記情報表示用パネルでは、対向する２枚の基板間の空間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の情報表示システムで用いる電子ペーパーを構成する情報表示用パネルのうち、帯電性粒子を含んだ粒子群を表示媒体として用いる情報表示用パネルの例を、図１（ａ）、（ｂ）〜図２（ａ）、（ｂ）に基づき説明する。
【００１６】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セル７において、背面側のパネル基板１に設けた電極５（ストライプ電極）と観察側の透明なパネル基板２に設けた透明電極６（ストライプ電極）とが対向直交交差して形成する画素電極対の間に電圧を印加することにより発生する電界に応じて、基板１、２と垂直に移動させる。そして、図１（ａ）に示すように白色表示媒体３Ｗを観察者に視認させて白色の表示を、あるいは、図１（ｂ）に示すように黒色表示媒体３Ｂを観察者に視認させて黒色の表示を、白黒のドットでマトリックス表示している。なお、図１（ａ）、（ｂ）において、手前にある隔壁は省略している。また、８は接着剤である。さらに、ここではセルと画素（ドット）とが１対１に対応する例を示している。さらにまた、ここではセル内を空気で満たしているが、他の気体で満たしたり、真空としたりしてもよい。また、絶縁液体を満たしてもよい。さらにまた、隔壁で形成したセルの代わりに透明なカプセルを用いても良い。
【００１７】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図２（ａ）に示すように白色表示媒体３Ｗを観察者に視認させて白色の表示を、あるいは、図２（ｂ）に示すように黒色表示媒体３Ｂを観察者に視認させて黒色の表示を、白黒のドットでマトリックス表示している。なお、図２（ａ）、（ｂ）において、手前にある隔壁は省略している。また、８は接着剤である。さらに、ここではセルと画素（ドット）とが１対１に対応する例を示している。さらにまた、ここではセル内を空気で満たしているが、他の気体で満たしたり、真空としたりしてもよい。また、絶縁液体を満たしてもよい。さらにまた、隔壁で形成したセルの代わりに透明なカプセルを用いても良い。
【００１８】
＜本発明の電子ペーパーについて＞
図３は本発明の電子ペーパーの一例を説明するための図である。本例では、情報表示用パネルとして図１（ａ）、（ｂ）に示す構造のものを使用しており、図１（ａ）、（ｂ）に示す例と同一の部材には同一の符号を付し、その説明を省略する。図３に示す例において、本発明の電子ペーパー１１は、情報を表示する情報表示部として機能する情報表示用パネル１２と、ロウ方向の複数本のストライプ電極５ごとに、表示すべき情報の駆動電圧を供給するドライバーＩＣ１３と、カラム方向の複数本のストライプ電極６ごとに、表示すべき情報の駆動電圧を供給するドライバーＩＣ１４と、シリアル信号をパラレル信号に変換するシリアル−パラレル変換手段１５と、別体の駆動装置から伝達されるシリアル信号を受け取る接続用端子コネクター１６と、を含んで構成されている。図３には、ドライバーＩＣを２枚の基板のそれぞれに直接実装した例を示したが、ドライバーＩＣを実装したフレキシブル基板を２枚の基板のそれぞれに実装した構成にすることもできる。
【００１９】
図４は図３に示す本発明の電子ペーパーの一例を説明するためのブロック図である。図４に示す例において、図３に示す例と同一の部材には同一の符号を付し、その説明を省略する。ドライバーＩＣ１３およびドライバーＩＣ１４はそれぞれロウ側ストライプ電極数以上の出力側端子、カラム側ストライプ電極数以上の出力側端子を有するものを用いる。シリアル−パラレル変換手段とドライバーＩＣとの接続は、同じ基板上であれば基板に形成した電極線を用い、基板間での接続となる場合はフレキシブルケーブルやフレキシブル回路基板（ＦＰＣ）を用いる。
【００２０】
複数のドライバーＩＣ１３および複数のドライバーＩＣ１４と、シリアル−パラレル変換手段１５のパラレルポート間では、駆動装置側から受け取ったシリアル信号を変換したパラレル信号が伝達される。このとき、複数のドライバーＩＣ１３および複数のドライバーＩＣ１４に対してシリアル−パラレル変換手段１５を１つ配置して、さらにこのシリアル−パラレル変換手段１５の先に、駆動装置との接続端子コネクターを１つ配置する構成にすることもできるし、複数のドライバーＩＣ１３および複数のドライバーＩＣ１４それぞれに対してシリアル−パラレル変換手段１５を配置して、さらにこの複数のシリアル−パラレル変換手段１５の先に、駆動装置との接続端子コネクターをそれぞれ配置する構成にすることもできる。前者では、シリアル−パラレル変換手段１５および接続端子コネクターが各１つで済むが、接続端子コネクターの接続端子数が、少なくともドライバーＩＣの数必要になる。後者では、シリアル−パラレル変換手段１５および接続端子コネクターが、少なくともドライバーＩＣの数必要になるが、接続端子コネクターの接続端子数はデータ伝達用の１本と、グランド接続用の１本との２本で済む。電子ペーパーを駆動装置に着脱するときの容易性や情報を書き換える際の書き換え速度とを勘案して、どちらかを選択して採用することができる。
【００２１】
なお、上述した例では、電子ペーパーが搭載する情報表示用パネルとして図１（ａ）、（ｂ）に示す複数のストライプ電極に信号を伝達するパッシブ駆動方式のものを使用したが、情報表示用パネルとして図２（ａ）、（ｂ）に示すＴＦＴを利用したアクティブ駆動方式のものを使用する場合でも、ＴＦＴ付き電極に伝達する信号を上述した例と同様に処理することで、本発明を好適に適用することができる。
【００２２】
＜本発明の情報表示システムについて＞
図５は本発明の情報表示システムの一例を説明するためのブロック図である。図５に示す例において、情報表示システムは、電子ペーパー１１と駆動装置２１とから構成されている。本例において、電子ペーパー１１は図３および４に基づき説明した例と同様の構成であり、ここではその説明を省略する。
【００２３】
図５に示す例において、駆動装置２１は、パラレル信号をシリアル信号に変換するパラレル−シリアル変換手段２２と、ロジックコントローラ２３と、電源供給手段となるバッテリー２４と、データ信号を表示媒体駆動に必要な電圧レベルに昇圧する昇圧回路２８と、ＣＰＵ２５と、各種のデータを記憶するメモリー２６と、外部からデータを少なくとも受信できる通信手段２７と、を含んで構成されているが、ロジックコントローラ、昇圧回路、通信手段を有しない構成にすることもできる。電源供給手段は、バッテリーでなく、外部電源に接続して外部から電源供給されるような構成でもよい。
【００２４】
駆動装置内でのデータ信号のやり取りはパラレルで行い、駆動装置側ではデータ信号の出口に配置したパラレル−シリアル変換手段２２で、データ信号をパラレル信号からシリアル信号に変換する。すなわち、パラレル−シリアル変換手段２２においては、パラレルポートから入ったパラレル信号を変換して、シリアルポートからシリアル信号として送り出すことになる。一方、電子ペーパー側では、データ信号の入り口に配置したシリアル−パラレル変換手段１５のシリアルポートから入ったシリアル信号を変換して、パラレルポートからパラレル信号として送り出すことになる。電子ペーパーと駆動装置とを装着するとともにデータ信号伝送ラインを接続する、接続用端子コネクターは、駆動装置側のコネクターと電子ペーパー側のコネクターとでシリアル信号を伝達するための信号線数および１本のグランド信号線を有していればよいので、接続する必要のある信号線端子数を少なくすることができる。例えば、市販のＵＳＢコネクターのような、端子数が４本のコネクターを採用することができるほか、極端な例では、データ信号線とグランド端子線との２端子数のコネクターを用いることもできる。コネクターの端子数は少ない方が接続を容易にできるが、一方で、データ信号を伝達するのに時間が掛かるようになり表示書き換えに時間を要することになるため、端子数は４本〜１６本の範囲にする。
【００２５】
図５では、シリアル−パラレル変換手段１５を電子ペーパー内のドライバーＩＣの手前に配置する本発明の電子ペーパーの基本的な構成を示しているが、このシリアル−パラレル変換手段１５の機能をドライバーＩＣに含ませることもできる。この場合、図６に示すように、電子ペーパー側において、シリアル−パラレル変換手段は独立しては用いられないが、シリアル−パラレル変換手段付きのドライバーＩＣとしてその機能は電子ペーパーに付与されていることになる。ドライバーＩＣの入力側から入ったシリアル信号が、ドライバーＩＣのシリアル−パラレル変換機能によってパラレル信号に変換され、ドライバーＩＣの出力側から送り出される。
【００２６】
図５、図６に示す情報表示システムにおいては、電子ペーパー１１と駆動装置２１との間でデータ信号をシリアル信号として伝達することで、電子ペーパー１１と駆動装置２１との接続に用いる信号線を少なくすることができるため、簡単な構成で電子ペーパー１１と駆動装置２１との着脱自在な接続を達成することができる。また、１つの駆動装置２１を用いて電子ペーパー１１を付け替えることで、複数の電子ペーパー１１に対し１つの駆動装置２１のみで情報の表示を行うことができる。
【００２７】
図５、図６に示す本発明の情報表示システムにおいて、駆動装置として、携帯電話機に代表される携帯型端末機を採用することもできる。この場合、この駆動装置（例えば、携帯電話機）には、携帯電話機の表示画面に情報を表示する機能が付与されているが、本発明の電子ペーパーを接続して駆動させるために必要な手段として、さらに、前述した少なくとも、ロジックコントローラ、昇圧回路およびパラレル−シリアル変換手段を付加する必要がある。これらの機能は小型で軽量のため携帯電話機を小型で軽量の駆動装置とすることができ、携帯電話機の携帯性の妨げにはならないので、電子ペーパーとともに持ち歩くことも容易であり、携帯電話機の表示画面のように小さな画面では見にくい情報も、別体の大画面の電子ペーパーを接続して、電子ペーパーの画面で見やすくすることができる。また、この場合も、必要な情報を表示させた電子ペーパーを携帯電話機から取り外し、別の電子ペーパーを接続して、別に必要な情報を表示させてから取り外す、という作業を行なって、必要な情報を表示させた複数枚の電子ペーパーを並べて全情報を一望に見たり、必要な情報を表示させた複数枚の電子ペーパーを重ねて全情報をページを捲るような感覚で見たりすることができる。
【００２８】
駆動装置に設けるパラレル−シリアル変換手段２２および電子ペーパーに設けるシリアル−パラレル変換手段１５は、電子ペーパーに搭載した１個のドライバーＩＣについて各１個設ける構成から、全てのドライバーＩＣについて１個設ける構成の範囲で採用できる。各ドライバーＩＣの数だけ設ける構成では、接続用端子コネクターがその数必要になり、接続がやや困難になるが、データ信号の伝達を速くできるメリットがあり、全てのドライバーＩＣについて１個設ける構成では、接続は容易になるが、データ信号の伝達が遅くなるデメリットがある。
【００２９】
すなわち、図５、図６に示す本発明の情報表示システムにおいて、従来の情報表示装置との比較を行うと、以下の通りである。メモリー性を有する情報表示用パネルを用いる場合、一度画像を表示すれば書き換えるまでその画像が維持される。そこで、１つの駆動装置を用いて情報表示用パネル（電子ペーパーともいう）を付け替えることで複数の情報表示用パネルに表示が可能となる。しかし、従来は情報表示用パネルと駆動装置との接続作業が簡単でないので、通常は情報表示用パネルと駆動装置とは一体として用いていた。そのため、せっかくメモリー性があっても、現実には１つの駆動装置で１枚の情報表示用パネルしか使用できず、メモリー性を十分に利用できていなかった。さらに、軽量で薄型の情報表示用パネルを電子ペーパーとして採用すれば、電子ペーパーを複数用いるメリットがさらに大きくなり、１つの駆動装置に複数の電子ペーパーを付け替えるメリットが増してくる。
【００３０】
また、従来、電子ペーパーと駆動装置とを付け替えて用いる試みはされていたが、上手くいっていない。その理由は、駆動装置と電子ペーパーとの接続部分で、表示する画像を送る信号線の本数が多いため、接続が困難であり、実用上、駆動装置と電子ペーパーとを付け替えることが困難であったためである。そこで、接続本数を出来る限り減らしてつなぎ替えを容易にするために、本発明では第１に電子ペーパー側にドライバーＩＣを搭載することで、実際の画素の電極側にドライバーＩＣの出力側を接続し、出力側よりも端子数の少ない入力側を、駆動装置と接続するようにして、電子ペーパーと駆動装置との間で接続する電極数を大幅に減らすようにし、第２にドライバーＩＣへの伝送信号をシリアル信号にすることでさらに電子ペーパーと駆動装置との間で接続する電極数を少なくするようにした。このように、電子ペーパーにドライバーＩＣの機能とシリアル−パラレル変換の機能を一体化することで、それ以外の駆動装置（ＣＰＵやメモリー、電源供給手段、昇圧手段、入力装置、通信機能）ときわめて少ない本数の端子により電気的な接続が出来るようにした。その結果、表示した情報を書き換えるときに駆動装置に簡単に接続して情報を書き換え、書き換えた後は、駆動装置から簡単に取り外して情報が表示されたまま持ち歩ける電子ペーパーとできる、電子ペーパーと駆動装置とで構成した情報表示システムとすることが出来た。
【産業上の利用可能性】
【００３１】
本発明の電子ペーパー（情報表示装置）は、駆動装置（表示情報の書き換え装置）と容易に着脱できるため種々の利用法が可能となる。駆動装置（表示情報の書き換え装置）として、ノートパソコンや電子手帳、ＰＤＡ、携帯電話、ハンディーターミナルや携帯型メディアプレーヤーなどを使用することができる。本発明の電子ペーパーをこれらの機器と接続して用いる場合、これら携帯機器のメインディスプレイとして用いることが可能であるとともに、低消費電力のサブディスプレイとしての利用も可能である。
【００３２】
また、本発明の電子ペーパー（情報表示器）は、容易に着脱可能でありメモリー性を有することから、複数枚を着脱しながら用いることで、複数の情報を同時に表示しておく使い方も可能である。さらに、デスクトップパソコンのよな固定して使う電子機器を駆動装置（表示情報の書き換え装置）として用いる場合は、メモリー性を有することを活かして、表示情報を書き換えた後に取り外すことで、プリントした紙のように用いる、リライタブルペーパーとしても用いることが出来る。これら駆動装置（表示情報の書き換え装置）には、パラレル−シリアル変換手段、情報表示用パネルに表示させる情報の画像を形成するためのロジックコントローラおよび昇圧回路、ＣＰＵ、メモリー、電源供給手段（固定電源からの電源を取得する手段やバッテリー）、通信機能を全て持たせることが好ましいが、これらの一部の機能を持つ機器、不足している機能を持った中継機器をつなぎ、その先に本発明の電子ペーパー（情報表示装置）を接続して使用することも出来る。
【符号の説明】
【００３３】
１、２  パネル基板
３Ｗ  白色表示媒体
３Ｗａ  白色粒子
３Ｂ  黒色表示媒体
３Ｂａ  黒色粒子
４  隔壁
５、６  電極
７  セル
８  接着剤
１１  電子ペーパー（情報表示器）
１２  情報表示用パネル
１３、１４  ドライバーＩＣ
１５  シリアル−パラレル変換手段
１６  接続用端子コネクター
２１  駆動装置（書き換え装置）
２２  パラレル−シリアル変換手段
２３  ロジックコントローラ
２４  電源供給手段
２５  ＣＰＵ
２６  メモリー
２７  通信手段
２８  昇圧回路
【図１】
2011237644.tif 000003
【図２】
2011237644.tif 000004
【図３】
2011237644.tif 000005
【図４】
2011237644.tif 000006
【図５】
2011237644.tif 000007
【図６】
2011237644.tif 000008